(57)【要約】【課題】  横断中やこれから横断を開始する人に、横断許可信号の点灯している時間が残りどれだけあるかを知らせることにより、安全で不安にならない横断ができるとともに交通信号灯器以外の併設装置部分を設けることのない従来通りの工事コストで設置できる歩行者交通信号灯器を提供する。【解決手段】  横断禁止信号表示部１２の点灯と同時に待時間表示部１３のＬＥＤが全て点灯し、上端のＬＥＤから滅灯していく。ＬＥＤの滅灯状態から待時間を知ることができる。そして横断許可信号表示部１４が点灯すると同時に横断残時間表示部１５のＬＥＤが全て点灯し、上端のＬＥＤから滅灯していく。歩行者はこのＬＥＤの滅灯状態から横断禁止信号表示部１２の点灯までの残り時間を知ることができ、安全にかつ余裕をもって渡り切ることができる。【選択図】  図２
2005310015.tif 000002
【特許請求の範囲】
【請求項１】
横断禁止信号灯および横断許可信号灯よりなる歩行者用交通信号灯器において、
前記横断禁止信号灯は、点灯することにより横断を禁止する横断禁止信号表示部と、連続的に配置された複数個のＬＥＤからなり該ＬＥＤ列を順番に滅灯することにより横断禁止信号が終了するまでの時間を表示する待時間表示部とを含み、
前記横断許可信号灯は、点灯することにより横断を許可する横断許可信号表示部と、連続的に配置された複数個のＬＥＤからなり該ＬＥＤ列を順番に滅灯することにより横断許可信号が終了するまでの残り時間を表示する横断残時間表示部とを含む
ことを特徴とする時間表示機能付き歩行者交通信号灯器。
【請求項２】
前記横断禁止信号表示部はＬＥＤ列で構成され、該横断禁止信号表示部の上下左右のいずれかの位置又はそれらを組み合わせた位置に前記待時間表示部を隣接して配置し、
前記横断許可信号表示部はＬＥＤ列で構成され、該横断許可信号表示部の上下左右のいずれかの位置又はそれらを組み合わせた位置に前記残時間表示部を隣接して配置したことを特徴とする請求項１記載の時間表示機能付き歩行者交通信号灯器。
【請求項３】
前記横断禁止信号表示部の点灯時に、前記待時間表示部のすべてのＬＥＤを点灯させ、複数ステップに区分けされた、１個または複数個単位のＬＥＤを時間の経過にしたがって順番に片端から滅灯させ、前記横断禁止信号表示部の滅灯時に前記待時間表示部のすべてのＬＥＤを滅灯させ前記横断許可信号表示部を点灯させる制御を行なう待時間制御手段と、
前記横断許可信号表示部の点灯時に、前記横断残時間表示部のすべてのＬＥＤを点灯させ、複数ステップに区分けされた、１個または複数個単位のＬＥＤを時間の経過にしたがって順番に片端から滅灯させ、前記横断許可信号表示部の滅灯時に前記横断残時間表示部のすべてのＬＥＤを滅灯させ前記横断禁止信号表示部を点灯させる制御を行なう残時間制御手段と、
を備えたことを特徴とする請求項１または２記載の時間表示機能付き歩行者交通信号灯器。
【発明の詳細な説明】
【技術分野】
【０００１】
本発明は、歩行者専用の交通信号灯器に関する。
【背景技術】
【０００２】
歩行者が安全に道路を横断するため、横断待ち歩行者をデザイン化した横断禁止信号灯と横断中歩行者をデザイン化した横断許可信号灯を組み合わせた歩行者用交通信号灯器が実用に供されており、信号交差点においては図５に示すように交差点近傍の横断歩道両側に設置され、車両用信号灯器と共に交通信号制御機により駆動されており、各灯器の点灯時間が割り当てられている。
また、隣接する信号交差点が離れているために道路を横断したい歩行者の便のためにその中間に歩行者交通信号灯器を設置する場合は、歩行者が横断を要求するための押ボタンスイッチが道路の両側に設置される。
これらの交通信号灯器において横断待ち歩行者のストレス解消のため横断禁止信号が終わり横断許可信号に切り替わるまでの目安を与える待ち時間表示装置が必要に応じて併設され使用される場合がある。
【０００３】
図６は信号交差点から離れて独立的に設置された横断歩道専用の交通信号灯器の一例を示す概略図である。図７は、図６の歩行者用交通信号灯器の詳細図である。
道路５１に横断歩道５２が設置され、横断歩道５２の両側にそれぞれ歩行者交通信号灯器５４および車両用信号灯器５７を設置した支柱５３が敷設されている。
車両用信号灯器５７は車の走行方向に向けた姿勢で支柱５３の頂部に、歩行者交通信号灯器５４は歩行者横断方向に向けた姿勢で支柱５３の中間部にそれぞれ取り付けられている。
歩行者交通信号灯器５４の支持枠には歩行者待時間表示装置５５が併設されている。また、支柱５３の下部には横断を要求するための押ボタン装置５６が設けられている。
【０００４】
歩行者交通信号灯器５４は人が立ち止まっている絵柄の横断禁止信号表示部５８と人が歩行している絵柄の横断許可信号表示部５９を備えており、歩行者待時間表示装置５５は、８個所の区分点灯部を有し、横断禁止信号表示部５８が表示されている状態で、時間経過に伴い一つずつ滅灯していくことにより待ち時間を表示するものである。
今、横断しようとする歩行者が押ボタン装置５６を操作したとする。この操作により車両用信号灯器５７は所定の時間経過後に青色から黄色に変わり、さらに赤色に変わって自動車を停止させる。同時に歩行者待時間表示装置５５の区分けされた点灯部が全点灯の初期状態から、順番に上部の区分点灯部から滅灯し、上記所定の時間経過した時点で車両用信号灯器５７が赤信号になって区分点灯部がすべて滅灯する。これにより歩行者交通信号灯器５４が横断禁止信号から横断許可信号に切り替えられる。なお、安全のため車両用信号灯器５７が赤信号になった瞬間に横断禁止信号から横断許可信号に切り替わるのではなく、横断許可信号に切り替わるまで少しの時間を持たせている（全部の信号が赤）。
【発明の開示】
【発明が解決しようとする課題】
【０００５】
ところで、上記従来の歩行者交通信号灯器では、横断許可信号で横断中の歩行者にとって、残り、どの程度の時間で横断禁止信号に切り替わるか認識することができない。
通常、横断許可信号が終了近くになると、後、僅かで信号が切り替わることを示す点滅を開始するが、その点滅の開始がいつであるか、判断することができない。
【０００６】
つぎに、横断許可信号に切り替わるまでの待ち時間を表示する歩行者待時間表示装置５５は、歩行者用交通信号灯器の横に別装置として並設されるものであるので、歩行者用交通信号灯器以外に装置コストが掛かり、またそのための取り付け工事費が嵩むという欠点があった。
本発明の目的は、上記諸問題を解決するもので、横断中やこれから横断を開始する人に、横断許可信号の点灯している時間が残りどれだけあるかを知らせることにより、安全で不安にならない横断ができるとともに交通信号灯器以外の併設装置部分を設けることのない従来通りの工事コストで設置できる歩行者交通信号灯器を提供することにある。
【課題を解決するための手段】
【０００７】
前記目的を達成するために本発明の請求項１は、横断禁止信号灯および横断許可信号灯よりなる歩行者用交通信号灯器において、前記横断禁止信号灯は、点灯することにより横断を禁止する横断禁止信号表示部と、連続的に配置された複数個のＬＥＤからなり該ＬＥＤ列を順番に滅灯することにより横断禁止信号が終了するまでの時間を表示する待時間表示部とを含み、前記横断許可信号灯は、点灯することにより横断を許可する横断許可信号表示部と、連続的に配置された複数個のＬＥＤからなり該ＬＥＤ列を順番に滅灯することにより横断許可信号が終了するまでの残り時間を表示する横断残時間表示部とを含むことを特徴とする。
本発明の請求項２は、請求項１記載の発明において前記横断禁止信号表示部はＬＥＤ列で構成され、該横断禁止信号表示部の上下左右のいずれかの位置又はそれらを組み合わせた位置に前記待時間表示部を隣接して配置し、前記横断許可信号表示部はＬＥＤ列で構成され、該横断許可信号表示部の上下左右のいずれかの位置又はそれらを組み合わせた位置に前記残時間表示部を隣接して配置したことを特徴とする。
本発明の請求項３は、請求項１または２記載の発明において前記横断禁止信号表示部の点灯時に、前記待時間表示部のすべてのＬＥＤを点灯させ、複数ステップに区分けされた、１個または複数個単位のＬＥＤを時間の経過にしたがって順番に片端から滅灯させ、前記横断禁止信号表示部の滅灯時に前記待時間表示部のすべてのＬＥＤを滅灯させ前記横断許可信号表示部を点灯させる制御を行なう待時間制御手段と、前記横断許可信号表示部の点灯時に、前記横断残時間表示部のすべてのＬＥＤを点灯させ、複数ステップに区分けされた、１個または複数個単位のＬＥＤを時間の経過にしたがって順番に片端から滅灯させ、前記横断許可信号表示部の滅灯時に前記横断残時間表示部のすべてのＬＥＤを滅灯させ前記横断禁止信号表示部を点灯させる制御を行なう残時間制御手段とを備えたことを特徴とする。
【発明の効果】
【０００８】
上記構成によれば、歩行者は横断時に横断禁止信号が点灯するまでの残り時間を知ることができるので、歩行者は不安を生じることなく安全に渡ることができる。もちろん、横断禁止信号で待つ場合には待ち時間も知ることができる。そして、横断禁止信号灯の中に横断禁止信号表示部と並べて待時間表示部が表示されるとともに横断許可信号灯の中に横断許可信号表示部と並べて横断残時間表示部が表示されるので、歩行者はＬＥＤによる段階的な滅灯表示が時間の経過であることを容易に理解することができる。
また、待ち時間を表示する従来の歩行者待時間表示装置装置を設置する場合に比較し、工事が簡略化され、敷設コストが低価格となる。
【発明を実施するための最良の形態】
【０００９】
以下、図面を参照して本発明の実施の形態を詳しく説明する。
図１は、信号交差点から離れて独立的に設置された横断歩道に、本発明による歩行者交通信号灯器を用いた信号機の敷設例を示す概略図である。この実施の形態は、車線数が多く中央分離帯に横断者の退避用の安全地帯５があり、左向け車線横断用と右向け車線横断用の歩行者用信号灯器４を別々に設置する例を示している。左向け車線横断用と右向け車線横断用の歩行者用信号灯器４は別々に動作するもので、押ボタン装置を押すことにより１回の歩行者用信号灯器４の横断許可信号（青信号）で安全地帯５まで渡り、安全地帯５で再度押ボタン装置を押すことによりつぎの横断許可信号でもう一方の車線を横断することとなる。
【００１０】
図２は図１の歩行者用信号灯器４の詳細図である。
歩行者用交通信号灯器４は支持アーム１０に固定され、支持アーム１０は取付金具１１によって支柱３に取り付けられている。
歩行者用交通信号灯器４は、横断禁止信号灯８と横断許可信号灯９が縦方向に並べて配置されて構成されている。横断禁止信号灯８は、点灯することにより横断を禁止する横断禁止信号表示部１２と、待っている時間を表示する待時間表示部１３が同じ枠内に隣合わせに配置された構造となっている。横断許可信号灯９も、点灯することにより横断を許可する横断許可信号表示部１４と、横断許可信号が点灯している残り時間を表示する横断残時間表示部１５が同じ枠内に隣合わせに配置された構造となっている。
【００１１】
横断禁止信号表示部１２は、立ち止まった人形の輪郭を示すＬＥＤ列であり、横断を禁止する場合にはＬＥＤ列のすべてが点灯する。横断許可信号表示部１４は、歩いている人形の輪郭を示すＬＥＤ列であり、横断を許可する場合にはＬＥＤ列のすべてが点灯する。待時間表示部１３および横断残時間表示部１５は、並列に配置した２個のＬＥＤを１群とし、これを８ステップ分縦に並べて時間表示を行なうものである。
近年、ＬＥＤの輝度が向上したことにより少ない個数のＬＥＤでも点灯・滅灯の識別が容易になってきているので、上記のようにＬＥＤ２個の点灯・滅灯でも十分に使用可能となっている。待時間表示部１３および横断残時間表示部１５のＬＥＤは、人形の輪郭を示すＬＥＤ列の左側や上下（この場合はＬＥＤを横方向に配列）に配置した構造でもよい。また、人形の輪郭を示すＬＥＤ列を囲むように配置してもよい。
さらに、横断禁止信号表示部１２および横断許可信号表示部１４は人形の形を輪郭ではなく面状に配置してもよい。
【００１２】
上記横断禁止信号表示部１２のＬＥＤは赤色または赤色系を一般に使用し、待時間表示部１３のＬＥＤも同色系が好ましいが、目的に適えばいかなる色であってもよい。同様に横断許可信号表示部１４および横断残時間表示部のＬＥＤは青色または同色系が好ましいが、目的に適えばいかなる色であっても良い。
また、時間を表示するステップ変化の時間分割は、各ステップが均一な時間になるように分割されることが理想であるが、実現の容易性を考慮して許容される範囲であれば不均一でもよい。
【００１３】
図３は、本発明による歩行者交通信号灯器を用いた信号機の回路の実施の形態を示す回路図である。
信号灯器の点灯・滅灯を制御する回路は、押ボタン装置６内に設置されている。
電源部１６は、信号灯器点灯用および各回路に電力を供給する回路である。制御部１７は押ボタンスイッチ６ａからの操作信号を受け、予め設定された点灯・滅灯時間シーケンスに基づき車両用信号灯器７および歩行者用交通信号灯器４を点灯・滅灯するための駆動信号を車両用灯器駆動回路１８，歩行者用灯器駆動回路１９に送出する。車両用灯器駆動回路１８は、制御部１７からの駆動信号を受けて所定の時間ごとに青色，黄色，赤色の点灯・滅灯の制御を行なう。同様に歩行者用灯器駆動回路１９は、歩行者用交通信号灯器４の横断禁止信号表示部１２および横断許可信号表示部の点灯・滅灯および点滅（横断許可信号表示部のみ）の制御を行なう。また、待時間表示部１３の全ＬＥＤ点灯および段階的なＬＥＤ滅灯を、横断残時間表示部１５の全ＬＥＤ点灯および段階的なＬＥＤ滅灯の制御をそれぞれ行なう。制御部１７は待時間制御手段および残時間制御手段に対応する回路部である。
【００１４】
図４は、本発明による歩行者交通信号灯器を用いた信号機の動作を説明するためのタイミングチャートである。
（ａ）は待時間表示部のＬＥＤ列を駆動するＬＥＤ駆動信号，（ｂ）は横断残時間表示部のＬＥＤ列を駆動するＬＥＤ駆動信号，（ｃ）は歩行者用灯器の横断禁止信号，（ｄ）は歩行者用灯器の横断許可信号，（ｅ）は車両用灯器の青色，黄色，赤色の信号をそれぞれ示している。
現在の信号灯器の状態が、（ｃ）に示す横断禁止信号が点灯（赤色）状態で（ｅ）に示す車両用灯器が青信号であり、（ａ）に示す待時間表示部１３のＬＥＤ駆動信号がＬＥＤをすべて点灯（赤色）している状態とする。
【００１５】
歩行者がＴａの時点で、押ボタン６ａを押すと、制御部１７はそのボタン操作信号を受けて歩行者用灯器駆動回路１９を駆動し待時間表示部１３のＬＥＤを２個ずつ上から一定の時間ステップで順番に消灯する制御を開始する。制御部１７は予め設定してある時間が経過すると車両用灯器駆動回路１８によって車両用灯器７の青信号を黄色信号に切り替える。そして待時間表示部１３のすべてのＬＥＤが消灯する１つ前のステップまで時間が経過（Ｔｂの時点）すると、黄色信号は赤信号に切り替えられる。この時点で、待時間表示部１３，横断禁止信号表示部１２および車両用灯器はすべて赤となる。制御部１７はＴｃの時点に達し待時間表示部１３のすべてのＬＥＤを消灯すると、横断許可信号表示部１４を点灯（青色）すると同時に横断禁止信号表示部１２を消灯し横断残時間表示部１５のすべてのＬＥＤを点灯（青色）する。
【００１６】
横断許可信号表示部１４が点灯したＴｃの時点で横断が可能となり、歩行者は横断を開始することとなる。制御部１７は横断残時間表示部１５を点灯と同時に、順番に上から２個ずつのＬＥＤを消灯する制御を行なう。横断残時間の各時間ステップは時点ＴｃからＴｅまでの時間を均等にしたものである。
横断の残時間が少なくなって時点Ｔｄになると、横断許可信号表示部１４を点滅表示にし、歩行者に早く渡り切るよう促す。Ｔｅの時点に達すると、横断残時間表示部１５のＬＥＤはすべて消灯し、待時間表示部１３のＬＥＤはすべて点灯する。同時に横断許可信号表示部１４は消灯し、横断禁止信号表示部１２が点灯する。これによって横断禁止信号表示部１２，待時間表示部１３，車両用灯器の信号はすべて赤信号となる。そしてＴｆの時点になって車両用灯器の信号は青色に切り替わり、車両の進行が可能となる。
【００１７】
押ボタンスイッチの操作信号をＴａの時点で受け付けて動作に入った後は、Ｔｅの時点まで一連の動作が行なわれ、たとえ途中で押ボタンスイッチをさらに押しても歩行者の横断時間の延長はしない。また、歩行者の横断時間の終段階以降に押ボタンスイッチを押した場合はその横断許可要求の信号は受け付けられ、車両を円滑に走行させ不必要な渋滞を発生させないために考慮された最短の車両灯器青信号時間ｔｃを経過したＴｇ時点以後になってから横断許可信号が点灯するように制御される。
横断許可信号表示部１４の点灯終期には横断中の歩行者に道路を渡り切ることを促すために点滅させているが、横断残時間表示部についても同様に点滅させてもよい。  
【産業上の利用可能性】
【００１８】
車道を横断するための歩行者用信号灯器である。
【図面の簡単な説明】
【００１９】
【図１】本発明による歩行者交通信号灯器を用いた信号機の敷設例を示す概略図である。
【図２】図１の歩行者交通信号灯器の詳細を示す図である。
【図３】本発明による歩行者交通信号灯器を用いた信号機の回路の実施の形態を示す回路図である。
【図４】本発明による歩行者交通信号灯器を用いた信号機の動作を説明するためのタイミングチャートである。
【図５】信号交差点に設置される信号機の敷設例を示す概略図である。
【図６】信号交差点から離れて独立的に設置された横断歩道専用の交通信号灯器の一例を示す概略図である。
【図７】図６の歩行者交通信号灯器部分の詳細を示す図である。
【符号の説明】
【００２０】
１，５１  道路      
２，５２  横断歩道  
３，５３    支柱  
４，５４  歩行者用交通信号灯器  
５  中央安全地帯
６，５６  押ボタン装置
７，５７  車両用信号灯器
８  横断禁止信号灯
９  横断許可信号灯
１０  支持アーム
１１，６０  取付金具
１２  横断禁止信号表示部
１３  待時間表示部
１４  横断許可信号表示部
１５  横断残時間表示部
５５  歩行者待時間表示装置
５８  横断禁止信号表示部
５９  横断許可信号表示部
【図１】
2005310015.tif 000003
【図２】
2005310015.tif 000004
【図３】
2005310015.tif 000005
【図４】
2005310015.tif 000006
【図５】
2005310015.tif 000007
【図６】
2005310015.tif 000008
【図７】
2005310015.tif 000009